(57)【特許請求の範囲】
【請求項１】
複数の周波数帯のいずれかにホッピングされた信号を所定の時間単位毎に端末装置から受信し、
前記端末装置から受信した信号の品質を、前記信号がホッピングされた前記周波数帯毎に前記時間単位で別々に測定すると共に、測定の対象となった測定信号が同一の周波数帯で複数の前記時間単位に渡って連続して受信されたか否かに基づいて、前記周波数帯毎の測定品質を決定し、
前記周波数帯毎の測定品質と目標品質とのそれぞれの差異に応じて、前記端末装置にて増減すべき上り送信電力量が示された送信電力制御情報を、前記各周波数帯で別々に生成し、
前記周波数帯毎に別々に生成された前記送信電力制御情報を前記端末装置へ送信することを特徴とする送信電力制御方法。
【請求項２】
請求項１記載の送信電力制御方法において、
測定の対象となった測定信号と、時間的に前後するいずれかの隣接信号とが異なる周波数帯にホッピングされていた場合、測定信号のみの品質と目標品質との差異により、前記端末装置において増減すべき上り送信電力の量が示された送信電力制御情報を生成することを特徴とする送信電力制御方法。
【請求項３】
請求項１記載の送信電力制御方法において、
測定の対象となった測定信号と、時間的に前後するいずれかの隣接信号とが同一の周波数帯にホッピングされていた場合、測定した品質の時間平均と、目標品質との差異により、端末装置において増減すべき上り送信電力の量が示された送信電力制御情報を生成し、
測定の対象となった測定信号と、時間的に前後するいずれかの隣接信号とが異なる周波数帯にホッピングされていた場合、測定信号のみを送信電力制御情報を生成する基として用いることを特徴とする送信電力制御方法。
【請求項４】
請求項１から請求項３のいずれかに記載の送信電力制御方法を実施する基地局装置からホッピングされる周波数帯毎に増減すべき上り送信電力の量が示された送信電力制御情報を受信し、
各周波数帯にホッピングさせた信号の送信電力を、受信した前記送信電力制御情報にしたがって前記周波数帯毎に増減させることを特徴とする送信電力制御方法。
【請求項５】
複数の周波数帯のいずれかにホッピングされた信号を所定の時間単位毎に端末装置から受信する受信部と、
前記端末装置から受信した信号の品質を、前記信号がホッピングされた前記周波数帯毎に前記時間単位で別々に測定すると共に、測定の対象となった測定信号が同一の周波数帯で複数の前記時間単位に渡って連続して受信されたか否かに基づいて、前記周波数帯毎の測定品質を決定する測定部と、
前記周波数帯毎の測定品質と目標品質とのそれぞれの差異に応じて、前記端末装置にて増減すべき上り送信電力量が示された送信電力制御情報を、前記各周波数帯で別々に生成する生成部と、
前記周波数帯毎に別々に生成された送信電力制御情報を前記端末装置へ送信する送信部と、を具備したことを特徴とする基地局装置。
【請求項６】
請求項５記載の基地局装置において、
前記生成部は、前記測定部によって測定の対象となった測定信号と、時間的に前後するいずれかの隣接信号とが異なる周波数帯にホッピングされていた場合、測定信号のみの品質と目標品質との差異により、端末装置において増減すべき上り送信電力の量が示された送信電力制御情報を生成することを特徴とする基地局装置。
【請求項７】
請求項５記載の基地局装置において、
前記生成部は、測定の対象となった測定信号と、時間的に前後するいずれかの隣接信号とが同一の周波数帯にホッピングされていた場合、測定した品質の時間平均と、目標品質との差異により、端末装置において増減すべき上り送信電力の量が示された送信電力制御情報を生成し、
測定の対象となった測定信号と、時間的に前後するいずれかの隣接信号とが異なる周波数帯にホッピングされていた場合、測定信号のみを送信電力制御情報を生成する基として用いることを特徴とする基地局装置。
【請求項８】
請求項５から請求項７のいずれかに記載の基地局装置からホッピングされる周波数帯毎に増減すべき上り送信電力の量が示された送信電力制御情報を受信する受信部と、
信号を複数の周波数帯にホッピングさせる周波数ホッピング部と、
前記周波数ホッピング部によってホッピングさせた信号の送信電力を、前記受信部によって受信された前記送信電力制御情報を用いて、前記周波数帯毎に増減させる送信電力制御部と、を具備したことを特徴とする端末装置。
【発明の詳細な説明】
【技術分野】
【０００１】
本発明は、制御チャネルのような固定レートのチャネルに好適な閉ループ送信電力制御方法及び基地局装置、端末装置に関する。
【背景技術】
【０００２】
W-CDMA方式に基づいて無線通信する無線通信システムでは、同一セル内に存在する移動局装置（UE: User equipment)から送信される上りリンクの信号にユーザ固有のスクランブル符号が乗算されており、上りリンクの受信信号が同一セル内に存在するUE間で非直交となる。そこで、マルチユーザ干渉（すなわち、遠近問題）の影響を低減するため、高速送信電力制御（TPC: Transmission Power Control)が必須となっている。【０００３】
一方、3GPP Release 8で規定されるLTE(Long Term Evolution)のシステム（以下、「Rel-8 LTE」と略称する）では、低いピーク対平均電力比(PAPR: Peak-to Average Power Ratio)を実現しカバレッジの増大に有効であるSC-FDMA(Single-Carrier  Frequency  Division  Multiple  Access)方式が上りリンクの通信方式に採用されている。SC-FDMA方式では，基地局によるスケジューリングにより、基本的には、ある周波数リソースおよび時間リソースからなる無線リソースをひとつのUEに割り当てる。このため、同一セル内に存在する複数ユーザ間は周波数および時間領域で直交が実現されている。このため、同一セル内のマルチユーザ干渉を抑圧する観点からは，TPCは必ずしも必須ではない。しかしながら、Rel-8 LTEでは全てのセルで同一の周波数を用いる１セル周波数繰り返しをベースとするため、周辺セルからの同一セル干渉が大きく、特にセル端に存在するUEが他セルのUEから受ける干渉レベルは高い。このため、このような周辺セル干渉を補償し一定の受信品質を維持するため、LTEにおいてもTPCを適用する必要がある。【０００４】
Rel-8  LTEの上りリンクでは、１）物理ランダムアクセスチャネル(PRACH:  Physical  Random Access Channel)、２）上りリンク物理共有チャネル(PUSCH:  Physical Uplink  Shared  Channel)、３）上りリンク物理制御チャネル(PUCCH:  Physical  Uplink  Control  Channel)が規定されている。【０００５】
PRACHに対しては，距離減衰，およびシャドウイング変動を補償する低速のTPC（開ループTPC）のみが適用される。【０００６】
PUSCHは、ユーザデータを送信する物理チャネルであり、UEの受信チャネル状態に応じた適応変復調・チャネル符号化(AMC:  Adaptive  Modulation  and  channel  Coding)、及び適応TPCが適用される。この場合，パスロス、シャドウイング変動の補償には適応TPC（開ループTPC）を用いて対応し、瞬時のフェージング変動に対してはAMCによる適応レート制御で対応している。【０００７】
一方、PUCCHは、制御情報（典型的には，下りの受信チャネル品質(CQI: Channel Quality Indicator)情報、下りの確認応答(ACK: Acknowledgement)／非確認応答(NACK: negative  ACK)等）を伝送する物理チャネルである。このような制御情報は，送信ビット数が予め決められているので，固定レートであり、受信チャネル品質に応じたAMCによる適応レート制御の必要はない。むしろ，PUCCHで伝送する情報は，下りリンクデータチャネルに適用されるAMCあるいは再送のためのフィードバックに必要不可欠であることから、一定の受信品質を維持することが重要である。このため、PUCCHに対しては、パスロス、シャドウイング変動、および瞬時フェージング変動を含めて，受信レベルを補償する必要があるため、開ループTPCに加えて、閉ループTPCを適用すべきである。【０００８】
図２はRel-8 LTEの上りリンクにおけるPUCCHの構成図である。
PUCCHは、いつでも送信可能であること、及び低オーバヘッドであること、を両立するため、狭い帯域幅(180kHz)の無線リソースが用いられている。また、１msecのサブフレームは0.5 msecの２つのスロットで構成されている。狭い送信帯域幅を用いた場合、一般的には周波数ダイバーシチ利得が減少するが，１サブフレーム内の２つのスロットを利用し送信スペクトラムの両端の帯域間でホッピングさせる周波数ホッピングを適用することで、大きな周波数ダイバーシチ効果を得ることができる。周波数ホッピングされる送信スペクトラム両端の帯域に送信帯域RB１、２を割り付け、UE１はRB１のスロット１とRB２のスロット２との間で周波数ホッピングさせ、UE２はRB２のスロット１とRB１のスロット２との間で周波数ホッピングされる。送信帯域RB１、２はリソースブロック(RB: Resource Block)と呼ぶこともできる。さらに、同一の無線リソースを用いた周波数ホッピングが適用される複数移動局装置は、コード多重によって、直交化される。【０００９】
図５は、Rel-8 LTEで規定されているPUCCHに対する閉ループTPCの概念図である。図５に示すように、Rel-8 LTEの上りリンクでは、CQI情報をPUCCHにて周期的（ＴＣＱＩ）に送信するモードが規定されている。この場合、基地局では，PUCCHで送られるチャネル推定用の参照信号(RS: Reference Signal)を用いて上りリンクの受信チャネル品質(SINR)を測定する。受信SINRと目標受信レベルとが比較され、受信品質が一定となるように送信電力を制御するためのTPCコマンドビットが生成される。例えば、基地局は、ある周期(TTPC)でTPCコマンドビットを生成して移動局に送信する。移動局では，受信したTPCコマンドビットに応じて、PUCCHの送信電力が調整される。このようにして、上りリンクの閉ループTPCが実現されている。【００１０】
図６はRel-8 LTEにおけるPUCCHに対するTPC法（本明細書では「RB共通TPC法」と呼称する）の概念図である。RB共通TPC法では、周波数ホッピングするPUCCHのRB１及びRB２のそれぞれにおいて受信SINRを測定し、測定した受信SINRをRB１，RB２間で平均化して平均受信SINRを求める。平均受信SINRがターゲットSINR値と一致するようにUEに対してTPCコマンドビットを送信し、閉ループ制御を行う。【００１１】
RB共通TPC法は、周波数ホッピングに用いられる2つRB１，２の平均受信SINRをターゲットSINR値に一致させるように，UEに対してRB間で共通の電力制御を行う方法である。図６に示すように、送信側（Tx)では，RB１，２共通（同一）の電力に調整されるが，移動局と基地局間のチャネル伝搬路において周波数選択性フェージングを受けるため，基地局における受信SINRはRB１，RB２間で異なる受信レベルとなる。図６に示す例では、RB1とRB2の平均受信SINRがターゲットSINRに一致しているが，RB1に対してはターゲット値を上回る過剰品質で受信され，一方，RB2に対してはターゲット値を下回る品質で受信されている様子が示されている。
【先行技術文献】
【非特許文献】
【００１２】
【非特許文献１】3GPP, TS 36.213, V8.2.0, “Evolved Universal Terrestrial Radio Access(E-UTRA); Physical layer procedures”
【発明の概要】
【発明が解決しようとする課題】
【００１３】
しかしながら、上記したRB共通TPC法では、平均受信SINRとターゲットSINR値とが一致するようにRB間で共通の電力制御を行うので、RB単位では必ずしも高品質受信が実現されていない場合もあった。【００１４】
また、平均受信SINRとターゲットSINR値とが一致する場合でも、周波数ホッピングされるRB間で残留する受信品質の大きなレベル差は、別の技術（周波数ホッピング又は周波数ホッピング前後のチャネル符号化）で改善することが必須である。【００１５】
本発明は、かかる点に鑑みてなされたものであり、閉ループTPCにおいて各RBについて別の技術を適用することなく全てのRBについて一定の受信品質を実現できる閉ループ送信電力制御方法及び基地局装置、端末装置を提供することを目的とする。
【課題を解決するための手段】
【００１６】
本発明の送信電力制御方法は、複数の周波数帯のいずれかにホッピングされた信号を所定の時間単位毎に端末装置から受信し、前記端末装置から受信した信号の品質を、前記信号がホッピングされた前記周波数帯毎に前記時間単位で別々に測定すると共に、測定の対象となった測定信号が同一の周波数帯で複数の前記時間単位に渡って連続して受信されたか否かに基づいて、前記周波数帯毎の測定品質を決定し、前記周波数帯毎の測定品質と目標品質とのそれぞれの差異に応じて、前記端末装置にて増減すべき上り送信電力量が示された送信電力制御情報を、前記各周波数帯で別々に生成し、前記周波数帯毎に別々に生成された送信電力制御情報を前記端末装置へ送信することを特徴とする。
【００１７】
また、本発明の送信電力制御方法は、複数の周波数帯のいずれかにホッピングされた信号を所定の時間単位毎に端末装置から受信し、受信された信号の品質を前記時間単位毎に測定し、測定の対象となった測定信号と、時間的に前後するいずれかの隣接信号とが異なる周波数帯にホッピングされていた場合、測定信号のみの品質と目標品質との差異により、前記端末装置において増減すべき上り送信電力の量が示された送信電力制御情報を生成し、前記端末装置に対して、生成された送信電力制御情報を送信することを特徴とする。【００１８】
この構成によれば、測定の対象となった測定信号と、時間的に前後するいずれかの隣接信号とが異なる周波数帯にホッピングされていた場合、測定信号のみの品質と目標品質との差異により、端末装置において増減すべき上り送信電力の量が示された送信電力制御情報を生成するので、異なる周波数帯の信号品質を平均する場合に比べて、各信号の品質を精度よく目標品質に一致させることができ、高品質受信を実現できる。【００１９】
また、本発明の送信電力制御方法は、測定の対象となった測定信号と、時間的に前後するいずれかの隣接信号とが同一の周波数帯にホッピングされていた場合、測定した品質の時間平均と、目標品質との差異により、端末装置において増減すべき上り送信電力の量が示された送信電力制御情報を生成し、測定の対象となった測定信号と、時間的に前後するいずれかの隣接信号とが異なる周波数帯にホッピングされていた場合、測定信号のみを送信電力制御情報を生成する基として用いることを特徴とする。【００２０】
この構成によれば、測定信号と時間的に前後するいずれかの隣接信号とが同一の周波数帯にホッピングされていた場合と、測定信号と時間的に前後するいずれかの隣接信号とが異なる周波数帯にホッピングされていた場合とで、それぞれ高品質受信を実現できる。
【発明の効果】
【００２１】
本発明によれば、閉ループTPCにおいて、各RBについて別の技術を適用することなく、全てのRBについて高品質受信を実現できる。
【図面の簡単な説明】
【００２２】
【図１】実施の形態に係る固定レートチャネルにおける送信電力制御方法の概念図
【図２】Rel-8 LTE上りリンクにおけるPUCCHの構成図
【図３】移動局装置（UE)の送信部及び受信部の機能ブロック図
【図４】基地局装置の送信部及び受信部の機能ブロック図
【図５】Rel-8 LTE上りリンクにおけるPUCCHでの閉ループTPCの概念図
【図６】Rel-8 LTEで採用されているRB共通TPC法の概念図
【図７】同一セル内のユーザ間で直交させるための処理ブロックを記入した移動局装置の機能ブロック図
【図８】図７に示す移動局装置に対応した基地局装置の機能ブロック図
【発明を実施するための形態】
【００２３】
以下、本発明の実施の形態について添付図面を参照して詳細に説明する。
図１を参照して本実施の形態に係る送信電力制御方法について説明する。Rel-8 LTEに規定された上りリンクにおいて閉ループ送信電力制御されるチャネルとして図２に示すPUCCHを例に説明する。但し、本発明は周波数ホッピングが適用された上りリンクの固定レートチャネルに限定されるものではなく、PUCCH以外のチャネルにも適用可能である。
【００２４】
Rel-8 LTE上りリンクのPUCCHは、制御情報（典型的にはCQI、ACK、NACK）を伝送するためのチャネルである。１サブフレームは２つのスロット１，２で構成される。スロット１とスロット２とで送信スペクトラムの両端の帯域（RB１、RB２)を用いた周波数ホッピングが適用される。そして、基地局では、周期的にCQI情報を伝送するPUCCH内のRSを用いて受信SINRが測定される。受信SINRとターゲットSINRが比較され、比較結果に応じてPUCCHの送信電力を調整するためのTPCコマンドビットが生成される。生成されたPUCCHの送信電力用のTPCコマンドビットは，移動局装置に対して対向リンクからフィードバック送信される。そして，移動局装置では、下りリンクで受信したTPCコマンドビットに基づき，PUCCHの送信電力を制御する。これにより，CQIを伝送するPUCCHの閉ループTPCが実現される。
【００２５】
本実施の形態では、PUCCHの送信信号の周波数ホッピングに用いられる２つのRB（RB１,RB２)について、RB毎に個別に受信SINRを計算し、RB１，２間で独立して夫々の受信SINRがターゲットSINR値に一致するように、適切なTPCコマンドビットを生成する。このようにRB１,RB２について個別に求めたTPCコマンドビットを下りリンクでフィードバックする（以下、「RB独立TPC法」と呼称する）。すなわち、RB独立TPC法では、異なる周波数帯であるRB１及びRB２の受信SINRを平均化するのではなく、RB１の受信SINRをターゲットSINR値に一致させるTPCコマンドビット（RB１)と、RB２の受信SINRをターゲットSINR値に一致させるTPCコマンドビット（RB２)とをそれぞれ生成してUEへ送信する。UEではRB毎に指示されたTPCコマンドビット（RB１，RB２)で対応するRB１，２の送信電力を制御する。
【００２６】
また上記した本発明は、複数の周波数帯のいずれかにホッピングされた信号を所定の時間単位毎に受信し、受信された信号の品質として受信ＳＩＮＲを時間単位毎に測定し、測定の対象となった測定信号と、時間的に前後するいずれかの隣接信号とが異なる周波数帯にホッピングされていた場合、測定信号のみをＴＰＣコマンドビットを生成する基として用いるということもできる。
【００２７】
また上記した本発明は、複数の周波数帯のいずれかにホッピングされた信号を所定の時間単位毎に受信し、受信された信号の品質として受信ＳＩＮＲを時間単位毎に測定し、測定の対象となった測定信号と、時間的に前後するいずれかの隣接信号とが同一の周波数帯にホッピングされていた場合、測定した品質の時間平均と、目標品質との差異により、端末装置において増減すべき上り送信電力の量が示された送信電力制御情報を生成する態様を含んでも良い。すなわち、スロット単位での周波数ホッピングではなく、サブフレーム単位で周波数ホッピングさせる場合に適用可能である。具体的には、所定数のサブフレーム間隔でCQI情報を送る態様では、あるサブフレームではRB１にて隣接する２スロット１，２を用いて制御信号を送信し、次にCQI情報を送る他のサブフレームではRB２にて隣接する２スロット１，２を用いて制御信号を送信するように周波数ホッピングさせる。この場合には、測定の対象となった測定信号（スロット１）と、時間的に前後するいずれかの隣接信号（スロット２）とが同一の周波数帯（例えばR1）にホッピングされるので、周波数帯（R1)については、測定した品質の時間平均（スロット１＋スロット２）と、目標品質との差異により、端末装置において増減すべき上り送信電力の量が示された送信電力制御情報を決定する。もう一方の周波数帯（R1)についても同様にして送信電力制御情報が決定される。
【００２８】
したがって、図１に示すように、RB１とRB２の伝搬路の状況が異なれば、送信側（Tx)となるUEに対してRB１とRB２とで異なる送信電力を指示するTPCコマンドが指示されるが、受信側（Rx)となる基地局ではRB１とRB２の両方の受信SINRが最終的にはターゲットSINRと一致する。
【００２９】
このように、PUCCHの閉ループTPCに上記したRB独立TPC法を適用することにより、RB共通TPC法に比べて、各RB１，２の受信SINRをターゲットSINR値に正確に一致させることができるので、全てのRB１,２について高受信品質を実現できる。その結果、SINRをターゲットSINR値に正確に一致させたPUCCHにおいて伝送される制御信号も高品質に受信することができる。
【００３０】
以下、本発明を適用した基地局装置及び移動局装置（UE)の実施例について説明する。
図３は移動局装置（UE)の送信部及び受信部の機能ブロック図であり、図４は基地局装置の送信部及び受信部の機能ブロック図である。
【００３１】
移動局装置（UE)の送信部は、制御情報の１つとしてCQI情報を送信するための処理ブロック１１と、RSを送信するための処理ブロック１２と、RSにCQI情報を多重する多重部１３と、多重化信号を周波数ホッピングに用いられるRB１，２毎に送信電力制御する電力増幅部１４とを備える。
【００３２】
処理ブロック１１では、受信部において下りリンクで受信したRSを基に推定した受信品質情報であるCQI情報（CQIビット系列）をチャネル符号化部２１でチャネル符号化する。チャネル符号化したCQI情報はデータ変調部２２で所定の変調方式で変調されてから、サブキャリアマッピング部２３に供給される。サブキャリアマッピング部２３では、リソースブロック番号に基づいてスロット単位でCQI情報をRB１とRB２とに周波数ホッピングさせる。たとえば、RB1のスロット１とRB２のスロット２との間でホッピングさせる。このとき、時系列の複数スロットをスロット毎に交互に異なる周波数帯にマッピングする場合と、連続する複数スロットの塊（例えばサブフレーム単位）で交互に異なる周波数帯にマッピングする場合とがある。IFFT部２４にてサブキャリアマッピング部２３の出力信号を高速逆フーリエ変換（Inverse Fast Fourier Transform）して時間軸波形信号とし、CP付与部２５でガードインターバルを付与してから多重部１３へ出力する。
【００３３】
RSの処理ブロック１２では、受信部において下りリンクで受信した制御信号から復号されたリソースブロック番号及び系列番号が取り込まれる。RS系列の生成部３１で系列番号に基づいてRSが生成される。サブキャリアマッピング部３２でリソースブロック番号に基づいてスロット単位でRSをRB１とRB２とに周波数ホッピングする。IFFT部３３にてサブキャリアマッピング部３２の出力信号を高速逆フーリエ変換して時間軸波形信号とし、CP付与部３４でガードインターバルを付与してから多重部１３へ出力する。
【００３４】
CQI情報の処理ブロック１１から出力されるCQI情報とRSの処理ブロック１２から出力されるRSとが多重部１３において多重化される。多重部１３から出力されるCQI情報とRSとの多重化信号が電力増幅部１４において２つのRB１、RB２で独立して送信電力制御される。
【００３５】
ここで、受信部において復号されるTPCコマンド情報には、サブキャリアマッピング部２３、３２でスロット１とスロット２をマッピングしたRB１とRB２のそれぞれに対するTPCコマンドが含まれている。電力増幅部１４はRB１とRB２それぞれ独立にTPCコマンドで指示された送信電力で信号増幅する。このように、RB１とRB２それぞれ独立に送信電力が制御された送信信号は送信無線機から無線送信される。
【００３６】
一方、基地局装置では、CQI情報とRSとが多重化された受信信号からRSが分離される。分離されたRSは同期検出・チャネル推定・受信品質測定部５１において同期検出に用いられ、さらに受信したRSと既知信号（RSの送信レプリカ）とを比較してチャネル推定する。さらに、リソースブロック番号に基づいてRB１とRB２のそれぞれについて受信SINR（RB１)、受信SINR(RB２)を測定する。TPCコマンド情報生成部５２では、RB１とRB２それぞれの受信SINRを取り込み、ターゲットSINR値と比較する。そして、ターゲットSINR値とRB１の受信SINR（RB１)との比較結果に基づいて、受信SINR（RB１)をターゲットSINR値に一致させるRB１に対するTPCコマンドビット（RB１)を生成する。またターゲットSINR値とRB２の受信SINR（RB２)との比較結果に基づいて、受信SINR（RB２)をターゲットSINR値に一致させるRB２に対するTPCコマンドコマンド（RB２)を生成する。このとき、測定の対象となった信号（例えばスロット１）と、時間的に前後するいずれかの隣接信号（例えばスロット２）とが異なる周波数帯にホッピングされていた場合、測定信号（スロット１）のみをＴＰＣコマンドビットを生成する基として用いると言い換えることができる。また、測定の対象となった測定信号（スロット１）と、時間的に前後するいずれかの隣接信号（スロット２）とが異なる周波数帯にホッピングされていた場合、測定信号（スロット１）のみの受信ＳＩＮＲと目標ＳＩＮＲとの差異により、移動局において増減すべき上り送信電力の量が示されたＴＰＣコマンドビットを生成すると言い換えることができる。
【００３７】
このように、RB独立TPC法では周波数ホッピングに用いられる各RBの受信SINRをターゲットSINR値に一致させるTPCコマンドビットをRB毎に独立に生成する。
【００３８】
また、受信信号は同期検出・チャネル推定・受信品質測定部５１により検出されたタイミングに基づきCP除去部５３でガードインターバルが除去され、FFT部５４で高速フーリエ変換された後、サブキャリアデマッピング部５５でRB１,RB２にそれぞれマッピングされている制御情報（CQI情報）がリソースブロック番号に基づいてデマッピングされる。デマッピングされたCQI情報はデータ復調部５６で復調され、さらにデータ復号部５７で復号される。
【００３９】
一方、以上のようにしてRB毎に独立に生成されたTPCコマンド（RB１)及びTPCコマンド（RB２)は、上りTPCコマンド送信用制御チャネル（TPC-PDCCH）６１を用いて、OFDM信号生成部６３でOFDM信号に変換してから下りリンクで移動局装置（UE）へ送信される。また、上りリソース割り当て情報信号生成部（UL  grant）６２では上りリソース割り当て情報を生成しており、上りリソース割り当て情報信号にTPCコマンド情報を含めることでTPC-PDCCHとUL  grantの双方を用いて送信することもできる。
【００４０】
移動局装置では、基地局装置から受信した受信信号をOFDM復調部４１で復調し、TPCコマンドビット情報はTPCコマンドビット情報の復調・復号部４２へ出力し、RSはCQI推定部４３へ出力し、報知チャネル及び下り制御信号は復号部４４へ出力される。
【００４１】
報知チャネル及び下り制御信号の復号部４４では、受信信号の報知チャネル又は下り制御信号を復号して、系列番号及びリソースブロック番号を得る。系列番号はRS系列の生成部３１へ与え、リソースブロック番号はサブキャリアマッピング部２３，３２へ与える。TPCコマンド情報の復調・復号部４２では、TPC-PDCCH又はUL  grantを介してRB毎に独立に生成されたTPCコマンド（RB１)及びTPCコマンド（RB２)を復調及び復号し、電力増幅部１４にTPCコマンド情報として与える。上記した通り、電力増幅部１４は当該RB毎に独立して生成されたTPCコマンドに基づいて送信電力を制御する。このようにして閉ループTPCが実現される。
【００４２】
なお、ＰＵＣＣＨに周波数ホッピングを適用する場合について説明したが、周波数ホッピングを適用しない場合であっても同様に適用可能である。図２において、UE１との間の伝送にはPUCCHをRB１に割り当て、UE２との間の伝送にはRB２割り当てる。UE１に着目すると、RB１のスロット１とスロット２を用いて制御情報を伝送する。このとき、TPCコマンドビットは、RB１とRB２の受信SINRを平均化するのではなく、RB１の１サブフレーム（２スロット分）を同相加算平均したものを用いる。RB毎に１サブフレーム（２スロット分）を同相加算平均した受信SINRをターゲットSINRに一致させるTPCコマンドをRB毎に生成し、RB間で独立した閉ループTPCを行う。
【００４３】
このように、１サブフレームを構成する２スロット分を時間領域において同相加算平均したものを用いることにより、チャネル推定精度および閉ループTPCに用いる受信SINR測定精度を改善でき、総合的なPUCCH情報を高品質受信および高精度な閉ループTPCを実現できる。
【００４４】
図７は上りリンクの制御情報（CQI情報、RS)を同一セル内のユーザ間で直交させるための処理ブロックを記入した移動局装置の機能ブロックを示しており、図８は図７に示す移動局装置に対応した基地局装置の機能ブロックを示している。
【００４５】
図８に示すように、基地局装置の送信部における上りリソース割り当て情報信号生成部６２は、CAZAC（Constant Amplitude Zero Auto-Correlation）系列の開始位置を示す系列番号、シフト量を示す巡回シフト番号、及び移動局装置に割り当てられた無線リソースを示すリソースブロック番号を生成する。基地局装置は、管理する同一セル内に存在する移動局装置の上りリンクの制御信号を直交及び多重化するために、同一のCAZAC系列に対して、移動局装置毎に異なる巡回シフトを割り当てる（すなわち、符号多重）。したがって、基地局装置は、管理する同一セル内に存在する移動局装置に対して、ユーザ間で共通の系列番号と、ユーザ毎に異なる巡回シフト番号を生成して下りリンクで通知している。なお、CAZAC系列として、Ｚａｄｏｆｆ−Ｃｈｕ系列を用いてもよい。
【００４６】
図７に示すように、移動局装置の受信部における報知チャネル／下り制御信号復号部４４は、下りリンクのOFDM復調信号から、系列番号、リソースブロック番号、巡回シフト番号を含む制御信号を復号する。
【００４７】
移動局装置の送信部は、基地局装置から通知された系列番号に基づいてCAZAC系列信号を生成するCAZAC系列生成部２６と、CAZAC系列生成部２６で生成したCAZAC系列信号を巡回シフト番号にしたがってシフトさせる巡回シフト部２７と、巡回シフト部２７でシフトさせたCAZAC系列信号をCQI情報に乗算する多重部２８とを備える。この結果、この移動局装置が上りリンクで送信するCQI情報は、他の移動局装置との関係では直交化された信号に符号化される。
【００４８】
また、移動局装置の送信部は、RS系列生成部３１で生成されたRS系列信号を巡回シフト番号にしたがってシフトさせる巡回シフト部３５を備える。この結果、この移動局装置が上りリンクで送信するRSは、他の移動局装置との関係では直交化された信号に符号化される。
【００４９】
以上のようにして移動局装置において制御信号（CQI,RS)が他のユーザ間で直交多重化された後、上りリンクで周波数ホッピングさせて送信される。
【００５０】
基地局装置の受信部は、FFT部５４によって周波数領域に戻された信号（CQI情報）が入力され、その信号から巡回シフト番号に基づいてCQI情報を分離する巡回シフト分離部５８を備える。巡回シフト番号はユーザ毎に異なる値を割り当てているので、ユーザに割当てた巡回シフト番号を用いて信号分離することで各ユーザから受信したCQI情報を取り出すことができる。
【００５１】
また基地局装置の受信部は、移動局装置−基地局装置館で受けるチャネル変動を、RSを用いて推定したチャネル推定値に基づいて戻す（補償する）チャネル補償部５９を備える。サブキャリアデマッピン後に、移動局装置−基地局装置館で受けるチャネル変動を補償してからデータ復調部５６へ渡している。
【００５２】
本明細書は、２００８年６月２６日出願の特願２００８−１６７９５６号に基づく。この内容はすべてここに含めておく。
【産業上の利用可能性】
【００５３】
本発明は、Rel-8 LTEの上りリンクPUCCHにおける閉ループの送信電力制御方法に適用可能である。
【図１】
0005411856.tif 000002
【図２】
0005411856.tif 000003
【図３】
0005411856.tif 000004
【図４】
0005411856.tif 000005
【図５】
0005411856.tif 000006
【図６】
0005411856.tif 000007
【図７】
0005411856.tif 000008
【図８】
0005411856.tif 000009